(57)【特許請求の範囲】
【請求項１】
金属板をＬ字状に折り曲げてアンテナ取付面と支柱取付面を構成した取付金具と、前記アンテナ取付面にアンテナを取付ける手段と、前記支柱取付面の一側面に設けられる支柱支持補助金具と、前記支柱取付面に設けられる２対の支柱取付穴と、この２対の支柱取付穴に前記支柱支持補助金具を介して挿入され、該支柱支持補助金具との間で支柱を保持する２つのＶボルトと、前記Ｖボルトの先端ねじ部に螺着される支柱固定用ナットとを具備し、前記支柱取付面に設けた２対の支柱取付穴の１つを丸穴とすると共に他の３つを円弧状の長穴とし、この長穴内で前記Ｖボルトを移動可能として前記支柱に対する支柱取付面の取付角度を調整できるように構成したことを特徴とする角度可変アンテナ取付金具構造。
【請求項２】
前記取付金具は、アンテナ取付面と支柱取付面の内側に補強板を設け、アンテナ取付面と支柱取付面の折曲げ角度を一定に保持することを特徴とする請求項１記載の角度可変アンテナ取付金具構造。
【請求項３】
前記支柱支持補助金具は、支柱接触面の中央部にＶ字状の凹部を設けたことを特徴とする請求項１又は２記載の角度可変アンテナ取付金具構造。
【発明の詳細な説明】
【０００１】
【発明の属する技術分野】
本発明は、無線通信用として使用される角度可変アンテナ取付金具構造に関する。
【０００２】
【従来の技術】
無線通信用のアンテナを支柱に取付けるアンテナ取付金具としては、従来から図２に示すような角度可変機構を備えたものが知られている。図２（ａ）は従来のアンテナ取付金具の平面図、図２（ｂ）は同正面図である。従来のアンテナ取付金具は、アンテナ部金具１１、角度変更部金具１２、支柱部金具１３からなっている。
【０００３】
アンテナ部金具１１は、アンテナ１０をボルト／ナット１４により保持すると共に、角度変更部金具１２にボルト／ナット１５、１６により取付けられる。上記角度変更部金具１２には、一方のボルト／ナット１５を装着するための丸穴（図示せず）が設けられていると共に、図２（ｂ）に示すように他方のボルト／ナット１６を装着するための円弧状の長穴１７が設けられている。なお、アンテナ部金具１１には、上記角度変更部金具１２の丸穴と長穴１７に対応する位置に丸穴（図示せず）が設けられる。すなわち、アンテナ部金具１１は、角度変更部金具１２に対し、ボルト／ナット１５を中心軸としてボルト／ナット１６が長穴１７内で移動できるように構成され、アンテナ１０の取付方向を図２（ｂ）の正面図において上下方向に調整できるようになっている。アンテナ１０の方向を調整した後は、ボルト／ナット１５、１６を締め付けて、アンテナ部金具１１と角度変更部金具１２との間を固定する。
【０００４】
そして、支柱部金具１３は、ボルト／ナット１８により支柱２０に取付ける。
【０００５】
【発明が解決しようとする課題】
上記のように従来の角度可変アンテナ取付金具は、アンテナ部金具１１と、角度変更部金具１２及びボルト／ナット１５、１６により、アンテナ１０の取付け方向を上下方向に調整することができる。
【０００６】
しかし、従来の角度可変アンテナ取付金具では、３式の金具部（アンテナ部金具１１、角度変更部金具１２、支柱部金具１３）と、各金具部に設けられる３式のボルト／ナットより構成されるため、部品点数が多く、構成が複雑であると共に、組立性が悪く、かつ高価となってしまう等の問題があった。
【０００７】
本発明は上記の課題を解決するためになされたもので、部品点数が少なく、簡易な構造で組立が容易であり、かつ安価な角度可変アンテナ取付金具構造を提供することを目的とする。
【０００８】
【課題を解決するための手段】
本発明に係る角度可変アンテナ取付金具構造は、金属板をＬ字状に折り曲げてアンテナ取付面と支柱取付面を構成した取付金具と、前記アンテナ取付面にアンテナを取付ける手段と、前記支柱取付面の一側面に設けられる支柱支持補助金具と、前記支柱取付面に設けられる２対の支柱取付穴と、この２対の支柱取付穴に前記支柱支持補助金具を介して挿入され、該支柱支持補助金具との間で支柱を保持する２つのＶボルトと、前記Ｖボルトの先端ねじ部に螺着される支柱固定用ナットとを具備し、前記支柱取付面に設けた２対の支柱取付穴の１つを丸穴とすると共に他の３つを円弧状の長穴とし、この長穴内で前記Ｖボルトを移動可能として前記支柱に対する支柱取付面の取付角度を調整できるように構成したことを特徴とする。
【０００９】
上記の構成とすることにより、取付金具はアンテナの固定と角度変更及び支柱取付けの３つの機能を兼ね備えているので、２式の金具部と２式のボルト／ナットで構成が可能となり、部品点数が少なく、簡易な構造で組立が容易であり、コストの低下を図ることができる。
【００１０】
【発明の実施の形態】
以下、図面を参照して本発明の一実施形態を説明する。
図１は、本発明の一実施形態に係る角度可変アンテナ取付金具の構成を示すもので、（ａ）は平面図、（ｂ）は正面図、（ｃ）は右側面図である。本実施形態に係る角度可変アンテナ取付金具は、取付金具２１と支柱支持補助金具２２からなっている。
【００１１】
取付金具２１は、金属板をＬ字状に折曲げ、一方の面をアンテナ取付面２３、他方の面を支柱取付面２４としている。そして、アンテナ取付面２３と支柱取付面２４の内側面中央部に補強板２５を設け、両者を９０°の折曲げ角度に保っている。更に、支柱取付面２４は、両側先端部をほぼ９０°折曲げて補強している。そして、取付金具２１のアンテナ取付面２３にアンテナ１０を複数のボルト／ナット２６により取付ける。この場合、支柱取付面２４が側方に位置するように、すなわち、正面から見て手前あるいは反対側に位置するようにアンテナ１０を取付ける。なお、図１（ｂ）の正面図では、支柱取付面２４が反対側に位置するように、アンテナ１０をアンテナ取付面２３に取付けた状態を示している。
【００１２】
一方、取付金具２１の支柱取付面２４には、図１（ｂ）に示すように支柱２０の径に対応させて２対（４つ）の支柱取付穴を設ける。この場合、支柱取付穴は、１つを丸穴（図示せず）とし、他の３つを円弧状の長穴２７ａ、２７ｂ、２７ｃとしてアンテナ取付方向を調整できるようにしている。なお、図１（ｂ）では、２対の支柱取付穴の左上を丸穴としたが、この丸穴の位置は、２対の支柱取付穴の何れに設定しても良い。
【００１３】
上記支柱取付面２４には、外側に２つの支柱支持補助金具２２を装着する。この支柱支持補助金具２２には、支柱取付面２４の支柱取付穴に対応する位置に４つの丸穴（図示せず）を設け、この丸穴の外側から２つのＶボルト２８を挿入する。このＶボルト２８は、更に上記支柱取付面２４の丸穴及び長穴２７ａ、２７ｂ、２７ｃに挿入して先端ねじ部に座金を介して支柱固定用ナット２９を螺着する。
【００１４】
そして、上記支柱支持補助金具２２とＶボルト２８との間に支柱２０を挿入し、支柱固定用ナット２９を締め付けて支柱取付面２４を支柱２０に固定する。この場合、支柱支持補助金具２２には、支柱２０に接する面中央部に例えばＶ字状の凹部３０を設け、支柱２０を確実に保持できるようにしている。
【００１５】
上記の構成において、取付金具２１の支柱取付面２４に、支柱支持補助金具２２、Ｖボルト２８及び支柱固定用ナット２９により支柱２０を取付ける。この場合、支柱固定用ナット２９を緩めた状態では、支柱取付面２４に設けた長穴２７ａ、２７ｂ、２７ｃ内をＶボルト２８が移動可能となっているので、取付金具２１に取付けたアンテナ１０の方向を上下方向に調整することができる。アンテナ１０の方向を調整した後、支柱固定用ナット２９を締め付けて支柱取付面２４を支柱２０に固定する。
【００１６】
上記のように取付金具２１は、アンテナ１０の固定と角度変更及び支柱取付けの３つの機能を兼ね備えている。従って、上記実施形態による角度可変アンテナ取付金具は、２式の金具部（取付金具２１及び支柱支持補助金具２２）と２式のボルト／ナットで構成が可能となり、部品点数が少なく、簡易な構造で組立が容易であり、コストの低下を図ることができる。
【００１７】
【発明の効果】
以上詳記したように本発明によれば、取付金具を構成する金属板をＬ字状に折り曲げて一方をアンテナ取付面、他方を支柱取付面とし、上記アンテナ取付面にボルト／ナットによりアンテナを取付け、また、支柱取付面に支柱支持補助金具を介在し、Ｖボルト及びナットにより支柱に取付けると共に、上記支柱取付面に設けたＶボルト挿通用の穴として１つの丸穴、３つの長穴を設け、支柱と支柱取付面との取付角度を長穴の範囲内で調整できるようにしたので、部品点数が少なく、簡易な構造で組立が容易であり、かつ安価に構成することができる。
【図面の簡単な説明】
【図１】（ａ）は本発明の一実施形態に係る角度可変アンテナ取付金具の平面図、（ｂ）は同正面図、（ｃ）は同右側面図。
【図２】（ａ）は従来の角度可変アンテナ取付金具の平面図、（ｂ）は同正面図。
【符号の説明】
１０…アンテナ
２０…支柱
２１…取付金具
２２…支柱支持補助金具
２３…アンテナ取付面
２４…支柱取付面
２５…補強板
２６…ボルト／ナット
２７ａ、２７ｂ、２７ｃ…長穴
２８…Ｖボルト
２９…支柱固定用ナット
３０…Ｖ字状の凹部
【図１】
0004417592.tif 000002
【図２】
0004417592.tif 000003